【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
加工品へ取り付けられるブラインドファスナであって、前記ファスナは、本体と、ステムと、を備え、
前記本体は、芯部と、前記本体の先端部におけるヘッドと、前記先端部から離れた後端部と、前記先端部と前記後端部との間にある放射状の拡張可能部と、を含み、
前記ステムは、シャフトと、放射状に拡大されたヘッドと、切断頸部溝と、を含み、
前記本体が、前記加工品における所定の開口に差し込まれ、所定の力が、前記加工品に向かって前記本体の前記後端部を圧するように、前記本体に加えられたとき、前記本体の前記先端部によって反発力が付与され、前記本体の前記放射状の拡大可能部が、放射状外側に且つ前記本体の先端に向かう軸方向に変形され、前記加工品のブラインド面に接すると共にブラインド側の設置面を形成するブラインドバルブを形成し、
少なくとも第１のくびれ領域及び第２のくびれ領域は、前記ステムの外側壁に設けられ、前記第１のくびれ領域及び前記第２のくびれ領域は、前記ステムのシャフトの最小直径よりも小さい最小直径を有し、
前記ファスナの組み合わせにおいて、前記本体は変形され、前記本体の材料が前記くびれ領域に入ることにより、前記本体は樽形状を含み、前記第１のくびれ領域は、前記ステムヘッドに隣接して位置し、前記第２のくびれ領域は、前記第１のくびれ領域よりも前記ステムヘッドから離れて位置し、前記切断頸部溝は、前記第１のくびれ領域と前記第２のくびれ領域との間に存在することを特徴とするブラインドファスナ。
【請求項２】
前記ステムは、第１のくびれ領域及び第２のくびれ領域の少なくとも一方につながるテーパ部を更に備えることを特徴とする請求項１に記載のブラインドファスナ。
【請求項３】
前記テーパ部は、前記切断頸部溝と前記第２のくびれ領域との間に位置していることを特徴とする請求項２に記載のブラインドファスナ。
【請求項４】
前記ステムは、前記ステムヘッドと前記第１のくびれ領域との間に段状部を更に含み、前記段状部は、前記ステムヘッドの直径と前記第１のくびれ領域の最小の直径との中間の直径を有することを特徴とする請求項１乃至請求項３のいずれか一項に記載のブラインドファスナ。
【請求項５】
１つ又はそれ以上の放射状の突出部が、前記ステムのくびれ領域に設けられていることを特徴とする請求項１乃至請求項４のいずれか一項に記載のブラインドファスナ。
【請求項６】
前記放射状の突出部又はその各々は、非対称な三角形状の断面形状を有することを特徴とする請求項５に記載のブラインドファスナ。
【請求項７】
前記放射状の突出部又はその各々は、丸い先端を有することを特徴とする請求項５又は請求項６に記載のブラインドファスナ。
【請求項８】
前記本体部は、環状のヘッド下のくぼみを更に備えることを特徴とする請求項１乃至請求項７のいずれか一項に記載のブラインドファスナ。
【請求項９】
前記第１のくびれ領域は、複数の段状部を備えることを特徴とする請求項１乃至請求項８のいずれか一項に記載のブラインドファスナ。
【請求項１０】
前記ステムは、環状のヘッド下のくぼみを更に備えることを特徴とする請求項１乃至請求項９のいずれか一項に記載のブラインドファスナ。
【請求項１１】
前記第１のくびれ領域は、前記くぼみに隣接するステムの材料の突出した隆起部を更に備えることを特徴とする請求項１０に記載のブラインドファスナ。
【請求項１２】
ブラインドファスナの製造方法であって、ファスナは、本体と、ステムと、を備え、前記本体は、芯部と、先端部と、前記先端部から離れた後端部と、前記先端部と前記後端部との間にある放射状の拡張可能部と、を含み、
第１のくびれ領域と第２のくびれ領域を、前記ステムの外側壁に形成する工程と、
前記ステムに前記本体を組み合わせる工程と、
前記本体の材料が前記第１のくびれ領域及び前記第２のくびれ領域に入るように前記本体を変形させる工程と、を備え、前記本体の変形の後、前記本体が樽形状を含み、前記第１のくびれ領域は、前記ステムヘッドに隣接して位置し、前記第２のくびれ領域は、前記第１のくびれ領域よりも前記ステムヘッドから離れて位置し、前記切断頸部溝が前記第１のくびれ領域と前記第２のくびれ領域との間に存在することを特徴とするブラインドファスナの製造方法。
【請求項１３】
前記第１のくびれ領域及び前記第２のくびれ領域は、ローリングにより形成されることを特徴とする請求項１２に記載のブラインドファスナの製造方法。
【請求項１４】
前記本体を変形させる工程は、クリンピングを含むことを特徴とする請求項１２又は請求項１３に記載のブラインドファスナの製造方法。
【請求項１５】
少なくとも１つ又はそれ以上の放射状の突出部を前記ステムのくびれ領域に形成する工程を更に含み、前記本体を変形させる工程により、少なくとも１つの前記放射状の突出部が、前記本体部に埋め込まれることを特徴とする請求項１２乃至請求項１４のいずれか一項に記載のブラインドファスナの製造方法。
【請求項１６】
前記第１のくびれ領域は、複数の段状部に形成されることを特徴とする請求項１２乃至請求項１５のいずれか一項に記載のブラインドファスナの製造方法。
【請求項１７】
環状のヘッド下のくぼみを形成する工程を更に備えることを特徴とする請求項１２乃至請求項１６のいずれか一項に記載のブラインドファスナの製造方法。
【請求項１８】
前記環状のヘッド下のくぼみを形成する工程は、冷間圧造過程を含むことを特徴とする請求項１７に記載のブラインドファスナの製造方法。
【請求項１９】
前記くぼみに隣接するステムの材料の突出した隆起部を形成する工程を更に備えることを特徴とする請求項１７に記載のブラインドファスナの製造方法。
【請求項２０】
前記突出した隆起部を形成する工程はローリングを含み、ローリングの際に、前記第１のくびれ領域から移動された材料が、前記くぼみに隣接する前記ステムの材料の突出した隆起部を形成することを特徴とする請求項１９に記載のブラインドファスナの製造方法。
【請求項２１】
ブラインドファスナの製造方法であって、ファスナは、本体と、ステムと、を備え、
前記本体は、芯部と、先端部と、前記先端部から離れた後端部と、前記先端部と前記後端部との間の放射状の拡張可能部と、を含み、
前記ステムにヘッド下のくぼみをローリングする工程と、前記くぼみから移動された材料に、前記くぼみに隣接したステムの材料の突出した隆起部を形成する工程と、備えることを特徴とするブラインドファスナの製造方法。
【手続補正２】
【補正対象書類名】明細書
【補正対象項目名】００１９
【補正方法】変更
【補正の内容】
【００１９】
第１のくびれ領域は、ステムヘッドに隣接して位置してもよく、第２のくびれ領域は、第１のくびれ領域よりもステムヘッドから離れて位置し、切断頸部溝が第１のくびれ領域と第２のくびれ領域との間に位置している。
【手続補正３】
【補正対象書類名】明細書
【補正対象項目名】００３５
【補正方法】変更
【補正の内容】
【００３５】
くびれ領域３８，４０の形成の際、テーパ部７０もまたステム２８に形成され、切断頸部溝４４側から徐々に第２のくびれ領域４０へ至る。放射状の突出部５８もまた第１のくびれ領域３８に形成され、段状部６６もまた第１のくびれ領域３８とステム２８との間に形成される。段状部６６の直径は、第１のくびれ領域３８とステムヘッド２８との直径の中間である。